(57)【特許請求の範囲】
【請求項１】
上部に天板を取り付けた左右１対の脚杆の上下方向の中間部同士を、左右方向を向く連結体によって連結したテーブルにおいて、
前記連結体は、左右の脚杆の上下方向の中間部に、前端を前記脚杆より前方へ突出させて設けた左右１対の側片の前端同士を、左右方向を向く接続杆で接続することによって、平面視後向Ｕ字状に形成されていることを特徴とする膝や下肢の当接を回避したテーブル。
【請求項２】
前記側片は、前端を上向きとして設けられている請求項１記載の膝や下肢の当接を回避したテーブル。
【請求項３】
前記天板は、水平位置と前記脚杆の前方で、ほぼ垂直状態に折たたまれた位置とに回動可能に設けられ、かつ前記連結体は、前記折たたみ位置にある天板の前縁より下方に設けられている請求項１または２に記載の膝や下肢の当接を回避したテーブル。
【請求項４】
上部に天板を取り付けた左右１対の脚杆の上下方向の中間部同士を、左右方向を向く連結体によって連結し、かつ前記天板を、水平位置と前記脚杆の前方でほぼ垂直状態となる折たたみ位置とに回動可能なテーブルにおいて、
前記連結体は、前記１対の脚杆の上下方向の中間部に、脚杆の対向面側に突出して設けられ、かつ前端が前記脚杆より前方に突出する平面視外向Ｌ字状の左右１対の屈曲側片の前端同士を、左右方向を向く接続杆で接続することによって、平面視横長のクランク状に形成され、かつ前記屈曲側片と脚杆との間隔を、脚杆の左右方向の幅より大としてあることを特徴とする膝や下肢の当接を回避したテーブル。
【請求項５】
前記連結体は、ほぼ垂直状態に折たたまれた天板の前側縁より下方に設けられている請求項４記載の膝や下肢の当接を回避したテーブル。
【請求項６】
前記天板の後側縁に、テーブルに対座する人の身体を受け入れる凹部が形成されている請求項１〜５のいずれかに記載の膝や下肢の当接を回避したテーブル。
【発明の詳細な説明】
【０００１】
【発明の属する技術分野】
本発明は、上部に天板を取り付けた左右１対の脚杆の上下方向の中間部同士を、左右方向を向く連結体によって連結したテーブルにおいて、テーブル使用時に、使用者の膝や下肢が連結体に当たるのを回避したテーブルに関する。
【０００２】
【従来の技術】
図５及び図６に示すように、前後方向を向く１対の脚台(２)に立設された左右１対の脚杆(３)を有し、各脚杆(３)の上端に天板(５)が取り付けたテーブルは公知である。このテーブルにおいては、左右の脚杆(３)の上下方向の中間部同士は、左右方向を向く連結体(41)によって連結されている。
連結体(41)は、脚杆(３)の左右方向の曲がりを防止したり、左右の脚杆の間隔を常時一定に保持して、天板(５)と脚杆(３)との取り付け部の破損を防止したりして、テーブル(40)を補強する部材である。
【０００３】
【発明が解決しようとする課題】
連結体(41)を脚杆の上下方向の中間部に設けたテーブル(40)は、天板(５)の前後寸法(奥行寸法)が短く、かつ、天板(５)の後側縁から脚杆までの距離が短い場合に、テーブル(40)を使用する人の膝や下肢が連結体(41)に当たることがあるという問題点を有している。
特に、身体障害者や老人等の車椅子使用者がテーブル(40)を使用する場合には、大きな問題となっている。
【０００４】
この問題点を解決したテーブルとして、連結体を脚杆のできるだけ上部に設けたテーブルや、脚杆を脚台の後端部近くに立設して、天板の前部を前方へ大きく突出させたテーブルもある。
【０００５】
しかし、前者のテーブルでは、脚杆に対する連結体の取り付け位置から脚杆の下端までの距離が長いため、テーブルの使用時や移動時に加わる左右方向の外力によって、脚杆が曲がったり、脚杆と連結体との連結部分が破損したりするという問題点がある。
【０００６】
また、後者のテーブルでは、脚杆の上端と天板の後側縁との距離、及び脚杆の下端と脚台の後端部との距離が長いため、天板に上方から加わる外力によって、脚杆と天板との取り付け部、及び脚杆の下端と脚台との取り付け部が破損し易いという、強度面での問題点がある。
【０００７】
本発明は、上記の問題点を解決して、天板の奥行寸法が短く、かつ、天板の後側縁から脚杆までの距離が短い場合でも、テーブルに対座した使用者の膝や下肢が連結体に当たるおそれを小とし、使い勝手がよく、また強度面からも問題のないテーブルを提供することを目的とする。
【０００８】
【課題を解決するための手段】
本発明によると、上記課題は、次のようにして解決される。
(１) 上部に天板を取り付けた左右１対の脚杆の上下方向の中間部同士を、左右方向を向く連結体によって連結したテーブルにおいて、前記連結体は、左右の脚杆の上下方向の中間部に、前端を前記脚杆より前方へ突出させて設けた左右１対の側片の前端同士を、左右方向を向く接続杆で接続することによって、平面視後向Ｕ字状に形成する。
【０００９】
(２) 上記(１)項において、前記側片は、前端を上向きとして設ける。
【００１０】
(３) 上記(１)または(２)項において、前記天板は、水平位置と前記脚杆の前方で、ほぼ垂直状態に折たたまれた位置とに回動可能に設けられ、かつ前記連結体は、前記折たたみ位置にある天板の前縁より下方に設ける。
【００１１】
(４) 上部に天板を取り付けた左右１対の脚杆の上下方向の中間部同士を、左右方向を向く連結体によって連結し、かつ前記天板を、水平位置と前記脚杆の前方でほぼ垂直状態となる折たたみ位置とに回動可能なテーブルにおいて、前記連結体は、前記１対の脚杆の上下方向の中間部に、脚杆の対向面側に突出して設けられ、かつ前端が前記脚杆より前方に突出する平面視外向Ｌ字状の左右１対の屈曲側片の前端同士を、左右方向を向く接続杆で接続することによって、平面視横長のクランク状に形成され、かつ前記屈曲側片と脚杆との間隔を、脚杆の左右方向の幅より大としてある。
【００１２】
(５) 上記(４)項において、前記連結体は、ほぼ垂直状態に折たたまれた天板の前側縁より下方に設けられている。
【００１３】
(６)  上記(１)〜(５)項のいずれかにおいて、前記天板の後側縁に、テーブルに対座する人の身体を受け入れる凹部を形成してある。
【００１４】
【発明の実施の形態】
以下、本発明の実施の態様を、図１〜図４に基づいて説明する。
図１〜図３は、本発明の第１実施態様のテーブルを示す。
このテーブル(１)は、前後方向を向く左右１対の脚台(２)(２)と、各脚台(２)の前端部近くより、後方へ僅かに傾けて立設された左右１対の脚杆(３)と、左右の脚杆(３)を連結する左右方向を向く連結体(４)と、脚杆(３)の上端に取り付けられた天板(５)とで構成されている。
【００１５】
このテーブル(１)は折たたみ式であり、天板(５)は、脚杆(３)の上端に、ブラケット(６)を介して、水平の使用状態とほぼ垂直の折たたみ状態とに回動可能に取り付けられている。
天板(５)を使用状態から折りたたみ状態にするには、ブラケット(６)の下面に設けたロック解除ノブ(７)を上方へ押して、図示しないロック機構のロックを解除してから、天板(５)の後側縁(5a)を持ち上げる。すると天板(５)は、図１の想像線で示すように、脚杆(３)の前方へ回動して、ほぼ垂直状態となる。
【００１６】
また、図３に示すように、天板(５)の後側縁(5a)には、テーブル(１)を使用する人、例えば車椅子(Ａ)を使用する人(Ｂ)の身体の前面を受け入れる凹部(８)が形成されている。
【００１７】
左右の脚杆(３)の上下方向の中間部同士を連結している連結体(４)は、垂直状態に折たたんだ際の天板(５)の前側縁(5b)のやや下方に位置しており、天板(５)に当接しないようになっている。
連結体(４)は、左右１対の側片(4a)の前端同士を、左右方向を向く接続杆(4b)で接続することによって、平面視後向Ｕ字状に形成され、各側片(4a)の後端は、脚杆(３)の上下方向の中間部に固着されている。
【００１８】
このように、連結体(４)は、平面視後向Ｕ字状に形成されているため、テーブル(１)を使用する人(Ｂ)の膝や下肢と、連結体(４)の接続杆(4b)との間隔は大分に大きく、これらが連結体(４)に当たるおそれは小さい。
このことは、身体障害者や老人等の車椅子(Ａ)を使用する人(Ｂ)が、天板(５)の凹部(８)に身体を入り込ませてテーブル(１)に深く対座した場合においても、しかりである。
【００１９】
さらに、脚杆(３)はやや斜め後方へ傾斜しているため、連結体(４)の側片(4a)の前端は、図１に示すように、やや上向きとなり、接続杆(4b)は、足をやや投げ出してテーブル(１)に対座した人の斜めの下肢に沿って傾いている。従って、テーブルを使用する人(Ｂ)が楽な姿勢でテーブルに対座しても、膝や下肢が妄りに接続杆(4b)に当たることはない。
また、連結体(４)は、左右の脚杆(３)の上下方向の中間部同士を連結しているため、テーブル(１)の剛性は大である。
【００２０】
ところで、第１実施態様のテーブル(１)においては、接続片(4b)をできるだけ前方に配した方が、連結体(４)に膝や下肢が当たることが少なくなる。
しかし、接続片(4b)をあまり前方へ突出させると、連結体(４)は、折たたんだ天板(５)の前方へ突出し、折畳状態でテーブルを、前後に入り子状態で並べたとき、前方のテーブルの脚杆(３)が、後方のテーブルの連結体(４)に当接するため、テーブルの配列間隔を狭くすることができない。
【００２１】
図４を参照して次に説明する第２実施態様のテーブルは、この点を改良したものであって、連結体を、倒立させた天板よりも前方に突出させてはあるが、折畳状態のテーブルの前後配列間隔を狭めることができるようになっている。
この第２実施形態のテーブル(20)も、折畳式であり、第１実施態様のテーブル(１)とは、連結体の形状のみが異なっており、他の部分は同一構造である。従って、その連結体(21)のみについて説明する。
【００２２】
この連結体(21)も、左右の脚杆(３)の上下方向の中間部同士を連結しており、折たたんだ天板(５)の前側縁よりも下方に位置している。
連結体(21)は、左右の脚杆(３)の上下方向の中間部の対向面に固着され、前端が脚杆より前方に突出する平面視外向Ｌ字状の左右１対の屈曲側片(21a)の前端同士を、左右方向を向く接続杆(21b)で接続してなり、平面視において、横長のクランク状に形成されている。
屈曲側片(21a)の前向片と脚杆(３)との間隔(Ｌ)は、脚杆(３)の左右方向の幅(Ｔ)より若干大としてある。
【００２３】
従って、天板(５)を折たたんだ状態で、複数のテーブルを入り子式に並べたとき、連結体(21)の接続杆(21b)が、折たたんだ天板(５)より前方に突出していても、屈曲側片(21a)の前面で、前位隣のテーブル(20)の脚杆(３)の後部を受け入れることができる。従って、折たたみ状態でのテーブルの前後配列間隔を狭めることができる。
【００２４】
第１実施態様のテーブルの変形例として、左右の側片(4a)を水平とすることもある。
第１実施態様のテーブルの変形例として、天板を脚杆の上端に固定的に設けることもある。
第１、第２実施態様のテーブルの変形例として、天板の後側縁に対座する人を受け入れる凹部を設けないこともある。
【００２５】
【発明の効果】
請求項１、４記載の発明によると、連結体が前方に凹入した形状をなし、また請求項６記載の発明は、連結体が上方に凹入した形状をなしているため、請求項１、４、６記載の発明とも、次の効果を奏する。
テーブルを使用する人の膝や下肢が、連結体に当たるおそれが小さく、テーブルの使い勝手が改善される。
天板の後側縁から脚杆までの距離が短い場合においても、膝や下肢が連結体に当たることはなく、テーブルの使い勝手が改善される。
また、連結体が、左右の脚杆をその上下方向の中間部で連結しているため、テーブルの強度が向上している。
【００２６】
請求項２記載の発明のように、側片を前上向きにして設けると、接続杆は、足をやや投げ出してテーブルに対座した人の斜めの下肢に沿って傾くこととなり、テーブルを使用する人は、楽な姿勢でテーブルに対座しても、膝や下肢が連結体に当たるおそれが小さい。
【００２７】
請求項３記載の発明のように、連結体を折たたみ状態にある天板の前縁より下方に設けると、天板が連結体に当接することがなく、天板の損傷を防止することができる。
【００２８】
請求項４記載の発明によると、屈曲側片と脚杆との間隔が、脚杆の左右方向の幅より大となっているため、折たたんだテーブルを前後に並べても、屈曲側片の部分に隣のテーブルの脚杆を受け入れることができるので、折畳状態でのテーブルの配列間隔を狭めることができる。
【００２９】
請求項５記載の発明によると、連結体を折たたみ状態にある天板の前側縁より下方に設けてあるから、天板が連結体に当接することはなく、天板の損傷を防止することができる。
【００３０】
請求項６記載の発明によると、天板の後側縁に、テーブルを使用する人の身体を受け入れる凹部を形成してあるから、車椅子使用者等がテーブルに深く対座することができ、天板上での食事や作業がやりやすくなる。
【図面の簡単な説明】
【図１】本発明の第１実施態様のテーブルの使用状態を示す側面図である。
【図２】図１に示すテーブルを左側から見た正面図である。
【図３】図１のテーブルの前方斜視図である。
【図４】本発明の第２実施態様のテーブルの拡大平面図である。
【図５】従来のテーブルの使用状態を示す側面図である。
【図６】図５のテーブルを左側から見た正面図である。
【符号の説明】
(１)テーブル
(２)脚台
(３)脚杆
(４)連結体
(4a)側片
(4b)接続杆
(５)天板
(5a)後側縁
(5b)前側縁
(６)ブラケット
(７)ロック解除ノブ
(８)凹部
(20)テーブル
(21)連結体
(21a)屈曲側片
(21b)接続杆
(30)テーブル
(31)連結体
(31a)上向き側片
(31b)接続杆
(Ａ)車椅子
(Ｂ)人
【図１】
0003584421.tif 000002
【図２】
0003584421.tif 000003
【図３】
0003584421.tif 000004
【図４】
0003584421.tif 000005
【図５】
0003584421.tif 000006
【図６】
0003584421.tif 000007